(57)【要約】【課題】正極（空気極）の外面側に、絶縁性材料から成る撥水膜を設ける必要がなく、セル同士の直列接続が容易で、しかも集電ロスを低減することができる金属空気電池を提供する。【解決手段】電池容器５内に、正極２及び負極３を対向配置し、これら両電極の間に電解液４を有する少なくとも１組の単電池を収納してなる金属空気電池１において、上記電解液４内に、例えば空気Ｇをバブリングすることによって、酸素を供給する。【選択図】図１
2015072744.tif 000002
【特許請求の範囲】
【請求項１】
電池容器内に、相対向して配置された正極及び負極と、これらの間に電解液を有する少なくとも１組の単電池を収納して成る金属空気電池において、
上記電解液に酸素を供給する酸素供給手段を設けたことを特徴とする金属空気電池。
【請求項２】
直列に接続された複数組の単電池を収納して成り、上記単電池の正極を構成する正極触媒層が隣接する単電池の負極金属上、又は該負極金属を裏面側に備えた集電体上に形成されていることを特徴とする請求項１に記載の金属空気電池。
【請求項３】
上記負極金属又は集電体の周囲に枠材が固定されていることを特徴とする請求項２に記載の金属空気電池。
【請求項４】
上記正極を構成する正極触媒層が酸素の吸着機能又は酸素を含むガスのトラップ機能を有することを特徴とする請求項１〜３のいずれか１つの項に記載の金属空気電池。
【請求項５】
上記酸素供給手段が電池容器の下方側から酸素を供給することを特徴とする請求項１〜４のいずれか１つの項に記載の金属空気電池。
【請求項６】
上記酸素供給手段が正極に向けて酸素を供給することを特徴とする請求項１〜５のいずれか１つの項に記載の金属空気電池。
【請求項７】
電解液タンクと、該タンクと上記電池容器の間で電解液を循環させる循環手段を備え、上記酸素供給手段が電解液タンク内に酸素を供給することを特徴とする請求項１〜６のいずれか１つの項に記載の金属空気電池。
【請求項８】
当該空気電池が注液式であって、上記酸素供給手段が注液前の電解液に酸素を供給することを特徴とする請求項１〜６のいずれか１つの項に記載の金属空気電池。
【請求項９】
上記酸素供給手段は、酸素を含むガスのバブリングによって電解液中に酸素を供給することを特徴とする請求項１〜８のいずれか１つの項に記載の金属空気電池。
【発明の詳細な説明】
【技術分野】
【０００１】
本発明は、酸素を正極活物質として利用する空気電池に係り、特に、正極側に空気を取り込むための撥水膜や空気孔を備える必要がなく、部品点数の減少によるコスト低減、機械的強度の向上に加えて、耐漏液性の向上、セル積層時における集電ロスの低減が可能な金属空気電池に関するものである。
【背景技術】
【０００２】
金属空気電池は、空気中の酸素を正極活物質に、アルミニウム（Ａｌ）や鉄（Ｆｅ）、亜鉛（Ｚｎ）などの金属を負極活物質に用いた電池であって、電池容器内に正極活物質を備える必要がないため、エネルギー密度が高く、小型化、軽量化が可能であって、非常用電源として、あるいは電動車両や船舶などの駆動用電源として注目されている。
このような金属空気電池としては、例えば特許文献１に記載された構造のものが知られている。
【先行技術文献】
【特許文献】
【０００３】
【特許文献１】特開２００６−１９２４６号公報
【発明の概要】
【発明が解決しようとする課題】
【０００４】
このような金属空気電池を実用する場合、多数の単セルを直列に積層して、使用目的に即した出力電圧が得られるようにすることが必要となる。
このとき、理想的には、正極と負極とを直接に接触させて、セル同士を直列に積層することが望ましい。
【０００５】
上記のような金属空気電池において、正極（空気極）は、空気を外部から取り入れる必要性と、電解液の漏出を防止する必要性から、ポリテトラフルオロエチレン（ＰＴＦＥ）から成る撥水膜（液密通気部材）によって覆われ、空気孔から取り入れた空気を均一に拡散させるために空気拡散紙によって、さらに覆われている。
しかしながら、これら撥水膜や空気拡散紙は、いずれも絶縁性材料から成ることから、電気的な導通を直接とることができない。
【０００６】
そこで、正極及び負極内にそれぞれ埋め込んだ集電体に接続するリード線をそれぞれ側面方向に引き出し、これら正極リード及び負極リードによって直列に接続するようにしているが、このようなリードを介した接続では、集電損失が非常に大きいという問題点があった。
【０００７】
本発明は、従来の金属空気電池の直列接続における上記のような課題を解決すべくなされたものであって、その目的とするところは、正極の外面側に、絶縁性材料から成る撥水膜を設ける必要がなく、セル同士の直列積層が容易で、集電ロスを低減することができる金属空気電池を提供することにある。
【課題を解決するための手段】
【０００８】
本発明者らは、上記目的の達成に向けて鋭意検討を重ねた結果、空気を電池容器の外側から正極極に取り入れる代わりに、電池の内部側から、すなわち電解液に酸素を供給するようになすことによって、上記目的が達成できることを見出し、本発明を完成するに至った。
【０００９】
すなわち、本発明は上記知見に基づくものであって、本発明の金属空気電池は、電池容器内に、相対向して配置された正極及び負極と、これらの間に電解液を有する少なくとも１組の単電池を収納して成るものであって、上記電解液に酸素を供給する酸素供給手段を設けたことを特徴とする。
【発明の効果】
【００１０】
本発明によれば、正極への酸素供給を電解液の側からなすようにしたから、正極の外面側から空気を取り入れる必要がないので、正極側に絶縁性材料から成る撥水膜や拡散紙、空気流路を設ける必要がなくなり、正極と負極とを直接重ね合わせることによって、直列接続が可能になる。
【図面の簡単な説明】
【００１１】
【図１】本発明による金属空気電池の基本構造を第１の実施形態として示す断面説明図である。
【図２】本発明において酸素供給手段として用いるマイクロバブル発生装置の一例を示す概略説明図である。
【図３】（ａ）本発明の第２の実施形態として金属空気電池の直列接続して成る組電池の構造例を示す断面説明図である。（ｂ）図３（ａ）に示した金属空気電池における直列接続部分の電極構造を説明する拡大断面図である。（ｃ）図３（ａ）に示した金属空気電池における直列接続部分の電極構造の他の形態を説明する断面図である。（ｄ）図３（ａ）に示した金属空気電池における直列接続部分の電極構造のさらに別の形態を説明する断面図である。
【図４】本発明による金属空気電池の第３の実施形態として各面にそれぞれ正極触媒層と負極金属を備えた集電体の周囲を枠体に固定した電極構造例を示す斜視図である。
【図５】本発明による金属空気電池の第４の実施形態として酸素含有ガスを電池容器の下方側から供給する構造例を示す斜視図である。
【図６】本発明による金属空気電池の第５の実施形態として酸素含有ガスを電池容器の底面全体から供給する構造例を示す斜視図である。
【図７】本発明による金属空気電池の第６の実施形態として酸素を含有する電解液を循環させるようにした組電池の構造例を示す斜視図である。
【図８】本発明による金属空気電池の第７の実施形態として酸素を含有する電解液を注液する注液式空気電池から成る組電池の構造例を示す斜視図である。
【図９】各例の電池構成の分解状態を示す斜視図である。
【図１０】実施例１の金属空気電池を示す断面図である。
【図１１】実施例２の金属空気電池を示す斜視図である。
【発明を実施するための形態】
【００１２】
以下に、本発明の金属空気電池に関する種々の実施形態について具体的に説明する。
【００１３】
図１は、本発明の金属空気電池の第１の実施形態として、本発明の基本構造例を示す断面図であって、図に示す金属空気電池１は、正極（空気極）２と負極３と、これら両電極２、３の間に電解液４を備えている。さらに、電解液４の中には、図外の酸素供給装置に接続され、酸素供給手段の一部を構成するノズル６が電池容器５の底部近傍位置に開口するように配置されており、この実施形態においては、当該ノズル６から空気などの酸素を含有するガスＧを供給し、電解液４の中にバブリングするようになっている。
【００１４】
上記構造を備えた金属空気電池１においては、正極への酸素供給を酸素供給装置に接続されたノズル６から電解液４を介して行うようにしたから、上記したように、正極２の外側から空気を取り入れる必要がないので、正極側に撥水膜や拡散紙、空気流路を配置する必要がない。したがって、正極の集電体２ａと負極の集電体３ａとを直接重ね合わせることができ、これによって直列接続が簡単で、集電ロスの少ないものとすることができる。
また、電池容器に、空気を取り込むための空気孔や空気流路がなくなることから、容器強度の向上や耐漏液性の向上が可能になると共に、部品点数の減少によるコスト低減の可能性も期待することができる。
【００１５】
上記正極２は、酸素を正極活物質とするものであって、ステンレス鋼などから成る正極集電体２ａと、この上に形成された正極触媒層２ｂを備え、この正極触媒層２ｂは、酸素の酸化還元触媒とこれを担持する導電性の触媒担体を含むものである。
上記触媒成分としては、例えば、二酸化マンガンや四酸化三コバルトなどの金属酸化物や、白金（Ｐｔ）、ルテニウム（Ｒｕ）、イリジウム（Ｉｒ）、ロジウム（Ｒｈ）、パラジウム（Ｐｄ）、オスミウム（Ｏｓ）、タングステン（Ｗ）、鉛（Ｐｂ）、鉄（Ｆｅ）、クロム（Ｃｒ）、コバルト（Ｃｏ）、ニッケル（Ｎｉ）、マンガン（Ｍｎ）、バナジウム（Ｖ）、モリブデン（Ｍｏ）、ガリウム（Ｇａ）、アルミニウム（Ａｌ）等の金属及びこれらの合金などから選択することができる。
【００１６】
触媒成分の形状や大きさは、特に限定されるものではなく、従来公知の触媒成分と同様の形状及び大きさを採用することができる。ただし、触媒成分の形状は、粒状であることが好ましく、触媒粒子の平均粒子径は、１〜３０ｎｍであることが好ましい。
触媒粒子の平均粒子径がこのような範囲内の値であると、電気化学反応が進行する有効電極面積に関連する触媒利用率と担持の簡便さとのバランスを適切に制御することができる。
【００１７】
触媒担体は、上記触媒成分を担持するための担体として、また、触媒成分と他の部材との間での電子の授受に関与する電子伝導パスとして機能する。触媒担体としては、触媒成分を所望の分散状態で担持させるための比表面積を有し、充分な電子伝導性を有しているものであればよく、主成分がカーボンであることが好ましい。触媒担体としては、具体的には、カーボンブラック、活性炭、コークス、天然黒鉛、人造黒鉛などからなるカーボン粒子が挙げられる。
触媒担体のサイズについても特に限定されるものではなく、担持の簡便さ、触媒利用率、触媒層の厚みを適切な範囲で制御するなどの観点からは、平均粒子径を５〜２００ｎｍ程度、好ましくは１０〜１００ｎｍ程度とするとよい。
【００１８】
触媒担体に対する触媒成分の担持量については、触媒とこれを担持した担体の全量に対して、好ましくは１〜８０質量％、より好ましくは３〜４０質量％である。触媒成分の担持量がこのような範囲内の値であると、触媒担体上での触媒成分の分散度と触媒性能とのバランスが適切なものとなる。
なお、上記した触媒成分や、これを担持する担体の種類については、上記したものだけに限定されるものではなく、空気電池に適用される従来公知の材料を適宜使用することができることは言うまでもない。
【００１９】
さらに、本発明の金属空気電池において、上記正極触媒層２ｂは、酸素の吸着機能、又は酸素含有ガスのトラップ機能を有していることが望ましく、これによって、放電に関与する酸素量を増すことができ、高容量化が可能になる。
例えば、正極触媒層２ｂに、フッ素系樹脂などの撥水性樹脂や、ゴムや樹脂等の表面を加工した多孔質材料を添加することによって、ガスのトラップ機能を付与することができる。また、活性炭、メソポーラスシリカ、シリカゲルなどを添加しておくことによって、酸素の吸着機能を発揮させることができる。
【００２０】
上記負極３は、銅などから成る負極集電体３ａと、この上に形成された負極金属３ｂを備えたものである。なお、負極金属３ｂとして金属の板材を用いる場合には、これを集電体として利用することも可能である。
負極金属３ｂとしては、標準電極電位が水素より卑な金属単体や、これら金属を含む合金が用いられる。このような金属単体としては、例えば亜鉛（Ｚｎ）、鉄（Ｆｅ）、アルミニウム（Ａｌ）、マグネシウム（Ｍｇ）などを挙げることができる。また、合金としてはこれらの金属元素に１種以上の金属元素又は非金属元素を加えたものを挙げることができる。しかしながら、これらに限定されるものではなく、空気電池に適用される従来公知の材料を適用することができる。
【００２１】
電解液４としては、例えば、塩化カリウム（ＫＣｌ）、塩化ナトリウム（ＮａＣｌ）、水酸化カリウム（ＫＯＨ）、水酸化ナトリウム（ＮａＯＨ）などの水溶液が用いられるが、これらに限定されるものではなく、空気電池に適用される従来公知の電解液を適用することができる。また、添加物としてペンタノールやプロパノールなどのアルコールや非イオン性界面活性剤、両性界面活性剤、陽イオン系界面活性剤、陰イオン系界面活性剤などを用いることで、気泡同士の合体や水中の上昇速度を小さくすることが可能である。
【００２２】
酸素供給手段としては、酸素の供給装置として、例えばエアーポンプが利用され、ノズル６を介して電解液中に空気などの酸素を含有するガスＧを吹き出し、バブリングする。なお、酸素を含有するガスＧとしては、空気が一般的であるが、酸素の利用率を高めるためには、純酸素やオゾンなどを用いることも必要に応じて望ましい。
【００２３】
このようなガスＧのバブリングに際しては、特に微少径の気泡、すなわちマイクロバブルやナノバブルによるバブリングを行うことが好ましい。
すなわち、このような微少径バブルの形態で酸素含有ガスを供給することによって、電解液中におけるガスの滞留時間が長くなり、少ない供給量でも電解液中の溶存酸素濃度を高く維持することができ、酸素利用率の向上、放電電圧の安定化を図ることができるようになる。
【００２４】
ここで、マイクロバブルとは、「その発生時に、１０〜数十μｍの直径を有する気泡」と定義されており、殆どのマイクロバブルは液中で収縮し、マイクロナノバブル（径が１μｍ前後から数百ｎｍの気泡に変化して行き、マイクロナノバルブとなって、さらに急激な収縮が生じ、液中に溶解することにより気泡は消滅する。
通常の気泡（ミリバブル以上）は、電解液中を急激に上昇して、液面で破裂することになり、気泡内の酸素が無駄に大気中に放出されることになる。これに対し、マイクロバブルは気泡体積が微少であるため、上昇速度が遅く、長い間液中に滞在し続ける。なお、マイクロバブルの上昇速度はストークスの式で示され、例えば、直径１０μｍの気泡の上昇速度は、１分間に３ｍｍ程度に過ぎない。
【００２５】
このような界面としては、気相と液相、液相と液相、液相と固相、固相と固相の二相間で形成され、この界面間で界面張力により加圧が生じる。この界面張力はヤングラプラスの式により導かれ、気泡の大きさに反比例して気泡に加わる圧力が高まる。このため、微細気泡は圧力により一層小さくなり、さらに圧力が高まり、理論上、無限の圧力が生じることによって、気体が液中に効果的に溶解することになる。
さらに、マイクロバブルは、コロイドとしての側面があり、負に帯電しているため、マイクロバブル同士は反発し合うことから、マイクロバブル同士が結合することはなく、気泡濃度が減少することもない。
【００２６】
このようなマイクロバブルやナノバブルは、公知の種々の方法によって発生させることができる。
例えば、ある程度の高圧下で十分な量のガスを液中に溶解させた後に、圧力を開放すると、ガスは液中に過飽和の状態となっているので、過飽和分のガス分子が液中で気化することから、微少径の気泡を大量に発生させることができる（加圧減圧法）。
【００２７】
また、マイクロバブルを連続的に発生させるためには、図２に示すように、ポンプを適用した発生装置を用いることができる。当該ポンプは、吸引側から水（本発明では電解液）を取り込み、押出側から吐出するが、このとき吸引側の圧力は環境圧よりも低く、押出側は環境圧よりも高くなる。押出側の先端にノズルを設けることによって圧力差をさらに大きくすることができる。
押出側の経路中に気体溶解タンクを配置すれば、圧力の高い状態で取り込んだ気体（酸素含有ガス）を電解液中に溶解させることができ、ノズルから電解液を吐出させると、圧力が開放され、溶解された気体が過飽和となるため、マイクロバブルを大量に発生させることができる。
【００２８】
さらに、渦流を作って、この中に気体を巻き込み、ファンなどによって気泡をさらに微細に切断、粉砕する方法（気液２相流旋回法：気液せん断法）を適用することも可能である。
すなわち、ポンプを利用して、筒型容器内に液流を起こし、円形傾斜板や梵鐘型の回転駆動部によって渦流を発生させ、この中に気体を巻き込ませる。筒型容器の中にはシャフトがあり、シャフトに取り付けたプロペラで液と気体をせん断するように攪拌することによって、マイクロバブルを発生させることができる。この方法では、高濃度の気泡の発生には向かないものの、気液を直接的に混合させるようにしており、液流が大きく、効率的にマイクロバブルを発生させることができる。
【００２９】
以上、酸素含有ガスのバブリング、特にマイクロバブルやナノバブルのバブリングについて説明したが、本発明における酸素供給手段による酸素の供給方法としては、上記したようなガスのバブリングのみに限定される訳ではなく、例えば、過酸化水素などの酸化剤を電解液４に混合するようにしてもよい。
【００３０】
図３（ａ）は、本発明の金属空気電池の第２の実施形態として、上記金属空気電池１が直列に接続された状態を示す断面図である。
なお、この図では、２個の単電池を接続した状態をものを示しているが、３個あるいはそれ以上を直列に連結した場合でも、基本的に同様であることは言うまでもない。
【００３１】
図３（ａ）に示す接続構造は、基本的には、図１に示した空気電池１を２個横に並べて、直列に接続したものであるが、隣接する単電池の間に位置する正極及び負極の構造が単純化されている。
すなわち、図１に示した空気電池１をそのまま直列接続すると、裏面側に正極触媒層２ｂを備えた正極集電体２ａと、負極金属３ｂを備えた負極集電体３ａとが接続されることになり、正極集電体２ａと負極集電体３ａとが連結されて、２枚重ねの金属板から成る集電体が構成されることになる。本発明においては、このような組電池であっても、実用上、何らの支障はないが、材料や工程面での無駄が生じることにもなる。
【００３２】
そこで、図３（ａ）に記載の組電池においては、図３（ｂ）にも拡大して示すように、中央部、すなわち接続部分の電極における正極集電体２ａと負極集電体３ａとを一体化し、一枚の金属板から成る集電体７の一方の面に正極触媒層２ｂを形成し、他方の面に負極金属３ｂを設けるようにしている。
これによって、正極集電体２ａと負極集電体３ａとの間の接触抵抗がなくなり、集電ロスをさらに小さなものとすることができる。
【００３３】
また、図３（ｃ）に示すように、集電体７を省略し、負極金属３ｂ上に、正極触媒層２ｂを形成することにより、負極金属３ｂを集電体として兼用するようになすことも可能であり、これによって集電体７が不要になって、コストを低減することができる。
【００３４】
さらには、図３（ｄ）に示すように、上記集電体７として、通気性を備えた多孔質金属板を用いることによって、電解液に酸素含有ガスを供給する一方、当該多孔質集電体７’からも酸素含有ガスを供給することも、必要に応じて望ましい。
【００３５】
本発明の金属空気電池から成る組電池は、スタック用の電池容器内に、図３（ｂ）〜（ｄ）に示したような集電体７（又は７’）と正極触媒層２ｂ及び負極金属３ｂ、あるいは正極活物質層２ｂ及び負極金属３ｂから成る正極−負極接合体を多数並列させることによって構成される。
【００３６】
このとき、図４に示すように、集電体７の一方の面に正極触媒層２ｂを、他方の面（図では見えない側）に負極金属３ｂを備えた正極−負極接合体、あるいは負極金属３ｂ上に正極触媒層２ｂを形成してなる正極−負極接合体の周囲の金属部分を枠材９に接合して固定したものを用いることが好ましい。
このような正極、負極と一体化された枠体９を多数重ねて枠部分で接合することによって、所望の出力を備え、耐漏液性に優れた丈夫な組電池を得ることができる。なお、両端部に配置される電極については、外側に位置する側の正極活物質層２ｂあるいは負極金属３ｂを配置する必要はないが、部品を統一して部品点数を減らし、管理や組立てを簡便なものとする観点からは、両端部にも同じ枠体９を配置したとしても、差し支えはない。
【００３７】
酸素を電解液に供給するに際して、その手段が、特に酸素含有ガスのバブリングである場合、酸素含有ガスを電池容器の下方側から供給することが、電解液内の溶存酸素をより多くすることができ、酸素利用率が向上することから望ましい。
【００３８】
例えば、図５は、６個の単電池から成る組電池であって、図に示すように、酸素含有ガスＧ（例えば、空気）は、酸素供給装置であるポンプ１０から、電極間の底部に配置された６本のノズル６から供給するようにすることによって、ガスＧの浮上経路が長くなり、電解液中での滞留時間を多くすることができる。
このとき、ノズル６のガス噴出方向を正極触媒層２ｂに向けることによって、酸素含有ガスＧを正極２に向かって供給するようにすることが酸素の利用率を向上させる観点から望ましい。
【００３９】
また、図６に示すように、電池容器の底面に配置した樹脂あるいはセラミックス製の多孔質体１１を介して酸素含有ガスＧを供給することも望ましく、これによってガスＧを底面全体からバブリングすることができ、電解液とバブルとの接触面積をより大きくすることができる。
【００４０】
図７は、本発明の金属空気電池の他の実施形態例として、電解液循環式の組電池の構造例を示すものであって、図に示す組電池は、上記同様に６個の単電池を備えたものであって、さらに電解液４を収納した電解液タンク１２と、該タンク１２内の電解液を電極間に循環させるための循環手段１３を備えている。
そして、この実施形態に係る組電池おいては、酸素供給手段として、ポンプなどの酸素供給装置１０に連結されたノズル６を上記電解液タンク１２に備えており、酸素含有ガスＧがノズル６を介して電解液タンク１２内の電解液４中にバブリングされるようになっている。
【００４１】
したがって、ガスＧのバブリングによって、電解液タンク１２内で酸素を溶存させた状態の電解液が循環手段１３によって、電解液タンク１２と電池容器内の電極間を循環することになる。
なお、この図では、電解液を電極の上方側から供給し、電池容器の下方側から排出することによって循環させる例を示したが、電極の下方側から供給し、上方側から回収するようにすることも可能である。また、酸素供給手段としては、図２に示したようなマイクロバブルの発生装置を用いることも望ましく、これを用いることによって電解液中の溶存酸素量を多くすることができる。
【００４２】
図８は、本発明の金属空気電池のさらに他の実施形態例として、注液式の組電池の構造例を示すものであって、図に示す組電池は、同様に６個の単電池を備えたものであって、さらに、図７に示した循環式空気電池と同様に、酸素含有ガスＧのバブリング装置（酸素供給手段）を備えた電解液タンク１２を備えている。
このような注液式の組電池においては、ポンプなどの酸素供給装置１０に連結されたノズル６から酸素含有ガスＧをバブリングすることによって、電解液中に酸素を十分に溶解させたのち、図示しないバルブを開放することによって、酸素を含む電解液が電池容器内に流れ込み、これによって電池反応が始まり、放電が開始される。それまでは、活物質の消耗や変質が生じないことから、半永久的な保存が可能となる。
【実施例】
【００４３】
以下、本発明の金属空気電池の発電性能について、実施例に基づいて具体的に説明するが、本発明はこれら実施例に限定されるものではない。
【００４４】
〔電池構造〕
（１）正極
市販の撥水層としてＷ．  Ｌ．  Ｇｏｒｅ  ＆  Ａｓｓｏｃｉａｔｅｓ，Ｉｎｃ．製の厚さ１００μｍのテフロンシート、集電体として太陽金網（株）製２００メッシュのステンレスメッシュを用いた。また触媒層は固形分比で下記の比率で混合したものを用いた。
市販の酸化マンガン粉末（高純度化学研究所（株））３０質量％
市販のカーボン（ケッチェンブラック)粉末（ライオン（株））４０質量％
市販のＰＴＦＥ分散液（旭硝子（株））３０質量％
比較例については酸化マンガン粉末、ケッチェンブラック、ＰＴＦＥ分散液を混合したものを乾燥後、金属メッシュ、撥水層とともに触媒層が０．５ｍｍ厚になるようロール成形した。    
実施例については酸化マンガン粉末、ケッチェンブラック、ＰＴＦＥ分散液を混合したものを乾燥後、０．１ｍｍ厚のＳＵＳ３１６（ステンレス）板とともに触媒層が０．５ｍｍ厚になるようロール成形した。
（２）負極
Ｚｎ板（０．５ｍｍ厚）をＣｕ箔（０．１ｍｍ厚）にスポット溶着で接合した。
（３）電解液
８Ｎ−ＫＯＨを電解液として使用した。
（４）酸素供給手段
実施例１：セルに耐薬品性のチューブを入れ、表１記載流量のドライエアーをバブリングにより供給した（図１０参照。）。
実施例２：セルに耐薬品性のチューブを入れ、電解液をポンプで５０ｃｃ／ｍｉｎの速度で循環させた。循環用のチューブは１Ｌの電解液を満たした電解液容器と接続し、マイクロバブル発生装置により記載量のドライエアーを電解液に供給した（図１１参照。）。
比較例ではそれぞれセル外部より１００ｃｃ／ｍｉｎ、５０ｃｃ／ｍｉｎ、０（大気開放で強制供給なし）のドライエアーを供給した。
（５）電池構造
正極及び負極を電極サイズが１０ｃｍ×１０ｃｍとなるように切り出した。厚さ１ｍｍのポリプロピレン（ＰＰ）製板を、幅１１ｍｍに切り出し、それぞれの電極の端部に合わせて１０ｃｍ×１０ｃｍになるように接合し、上部を開放し、三方をふさぐようにエポキシ系接着剤(セメダイン)で正・負極と貼り合せた（図９参照。）。
【００４５】
〔性能評価方法〕
ポテンショスタットを用いてセル電圧が１Ｖとなるように制御した場合の電流値を測定した。得られた結果を表１に示す。
【００４６】
【表１】
2015072744.tif 000003
【００４７】
以上の結果から、撥水層を用いずに、電解液への直接のガス供給により連続的な放電が可能であることが確認された。
【符号の説明】
【００４８】
１  金属空気電池
２  正極
２ａ  正極集電体
２ｂ  正極触媒層
３  負極
３ａ  負極集電体
３ｂ  負極金属
４  電解液
５  電池容器
６  ノズル（酸素供給手段）
９  枠材
１０  酸素供給装置（酸素供給手段）
１２  電解液タンク
１３  循環手段
Ｇ  酸素含有ガス
【図１】
2015072744.tif 000004
【図２】
2015072744.tif 000005
【図３】
2015072744.tif 000006
【図４】
2015072744.tif 000007
【図５】
2015072744.tif 000008
【図６】
2015072744.tif 000009
【図７】
2015072744.tif 000010
【図８】
2015072744.tif 000011
【図９】
2015072744.tif 000012
【図１０】
2015072744.tif 000013
【図１１】
2015072744.tif 000014